(57)【要約】      （修正有）【課題】ネクタイ、スカーフ、マフラー等のように首等の身体に着けて装うようにした装着品に関し、従来のものとは異なる変化のあるデザインや機能を付与した装着品を提供する。【解決手段】ネクタイ１、スカーフ、マフラー１０等のように首等の身体に着けて装うための装着品において、該装着品を構成する本体面２に該装着品を挿通するための複数の穴５を設け、又は該装着品を構成する本体面２に紐部材８を挿通するための複数の穴７を設けた。【選択図】図３
0003119452.tif 000002
【実用新案登録請求の範囲】
【請求項１】
ネクタイ、スカーフ、マフラー等のように首等の身体に着けて装うための装着品において、該装着品を構成する本体面に該装着品を挿通するための複数の穴を設けたことを特徴とする装着品。
【請求項２】
ネクタイ、スカーフ、マフラー等のように首等の身体に着けて装うための装着品において、該装着品を構成する本体面に紐部材を挿通するための複数の穴を設けたことを特徴とする装着品。
【請求項３】
ネクタイ、スカーフ、マフラー等のように首等の身体に着けて装うための装着品において、該装着品を構成する本体面に該装着品を挿通するための複数の穴を設けると共に、該装着品を構成する本体面に紐部材を挿通するための複数の穴を設けたことを特徴とする装着品。
【考案の詳細な説明】
【技術分野】
【０００１】
本考案は、ネクタイ、スカーフ、マフラー等のように首等の身体に着けて装うようにした装着品に関するものである。
【背景技術】
【０００２】
従来、ネクタイ、スカーフ、マフラー等のように首等の身体に着けて装うようにした装着品には、種々の形態のものがある。例えば、ネクタイにおいては、通常、ネクタイを首に巻きつけて結び目をつくり、両端を胸の前に垂らすことによって、服装にアクセントをつけるようにしている。
【０００３】
このようなネクタイにおいては、結び目から垂らした両片を止めるために、種々のネクタイピンが用いられ、このネクタイピンでネクタイを挟むことによって、アクセントとしての装飾を兼ねるようにしている。
【０００４】
ところで、特許文献１に記載された「穴のあいたネクタイ」は、図１(ａ)及び(ｂ)に示すように、ネクタイ２０の片方２１に穴２２をあけ、この片方２１をネクタイどめ２３に通した状態にして、ネクタイ２０の穴２２をＹシャツのボタンに着けるようにしたものである。従って、このネクタイ２０に設けられた穴２２は、Ｙシャツのボタンに着けるための穴であって、ネクタイ２０の細幅の面（片方２１）に設けられたものである。しかも、ネクタイ２０を装着したときは、前面側のネクタイに隠れて見えなくなるものであり、その穴自体は装飾的な役割で設けられたものではない。
【０００５】
また、近時においては、ネクタイピンも見えないようにするか、装着しない傾向にあるが、一方では、代わり映えのしないネクタイの形態ではなく、デザインや機能に変化のあるネクタイが求められている。また、この事情は、スカーフ、マフラー等の装着品においても同様であり、従来のデザインとは異なるデザインや機能を有するものが求められているのである。
【特許文献１】実開平５−３４９９４号公報
【考案の開示】
【考案が解決しようとする課題】
【０００６】
本考案は、上記の事情に鑑みてなされたもので、ネクタイ、スカーフ、マフラー等のように首等の身体に着けて装うようにした装着品に関し、従来のものとは異なる変化のあるデザインや機能を付与した装着品を提供することを目的とする。
【課題を解決するための手段】
【０００７】
上記の目的を達成するために、本考案の請求項１の装着品は、ネクタイ、スカーフ、マフラー等のように首等の身体に着けて装うための装着品において、該装着品を構成する本体面に該装着品を挿通するための複数の穴を設けたことを特徴とする。
【０００８】
また、本考案の請求項２の装着品は、ネクタイ、スカーフ、マフラー等のように首等の身体に着けて装うための装着品において、該装着品を構成する本体面に紐部材を挿通するための複数の穴を設けたことを特徴とする。
【０００９】
さらに、本考案の請求項３の装着品は、ネクタイ、スカーフ、マフラー等のように首等の身体に着けて装うための装着品において、該装着品を構成する本体面に該装着品を挿通するための複数の穴を設けると共に、該装着品を構成する本体面に紐部材を挿通するための複数の穴を設けたことを特徴とする。
【考案の効果】
【００１０】
本考案による装着品によれば、ネクタイ、スカーフ、マフラー等のように首等の身体に着けて装うための装着品を構成する本体面に該装着品を挿通するための複数の穴を設けたり、該装着品を構成する本体面に紐部材を挿通するための複数の穴を設けたりすることによって、従来のネクタイ、スカーフ、マフラー等とは異なるデザインや色の変化を楽しむことが可能となる。
【００１１】
また、ネクタイ、スカーフ、マフラー等のような装着品において、この装着品を構成する本体面に該装着品を挿通するための複数の穴を設けたことによって、使用者が装着品を身に着けたときに装着品を一体的に固定したり、身体から外れないようにすることが可能となる。
【考案を実施するための最良の形態】
【００１２】
以下、本考案の実施例について図面を参照しながら説明する。
【００１３】
本考案において、装着品とは、ネクタイ、スカーフ、マフラー等のように首等の身体に着けて装うためのものを云う。そのような装着品のうち、実施例１としてネクタイ、実施例２としてマフラーについて説明するが、このマフラーの具体例はスカーフ等にも適用可能である。
【実施例１】
【００１４】
図１〜図４に示すものは、ネクタイについての実施例を示すものである。図１(ａ)に示すネクタイ１は通常のネクタイと同様の外形を有し、長尺の本体面２において、一方に細幅の片３を有し、他方に広幅の片４を有する。また、この実施例においては、広幅の片４の中央には長手方向に沿って複数の穴５が間隔をあけて設けられている。このようなネクタイ１において、使用者がネクタイ１を首に掛けて結び目６をつくり、胸の前に垂らしたとき、図１(ｂ)又は図４に示すように、ネクタイ１の細幅の片３を広幅の片４の穴５から次の穴５へ順次通して、交互に外側へ露呈したりすることによって、ネクタイ１の細幅の片３が交互に外側に出て立体的に見えるものである。
【００１５】
このようなネクタイ１においては、ネクタイ１の細幅の片３のデザインや色を広幅の片４のデザインや色とは異なるものとすることによって、上記のように穴５と次の穴５の間の外側に露呈する部分７が広幅の片４のデザインや色とは異なる様相を呈することとなり、デザインや色の変化を楽しむことができる。また、図４に示すように、上記のようにネクタイ１の細幅の片３を広幅の片４の穴５から次の穴５へと順次通すことによって、結び目７から垂れた細幅の片３と広幅の片４が一体的なものになる。
【００１６】
また、図２(ａ)に示すネクタイ１は、ネクタイ１の本体面２の広幅の片４の両側に沿って複数の細穴７、７…を設けたものである。図２(ｂ)は、図２(ａ)に示すネクタイ１の複数の細穴７、７…に順次挿通する紐部材８であり、周知の組み紐や太径の紐、さらには合成樹脂製紐、皮製紐、麻製紐、金属製の鎖状の紐等、その他あらゆる素材の紐部材を用いることができる。この紐部材８を、図２(ｃ)に示すように、ネクタイ１の広幅の片４に設けられた両側の複数の細穴７、７…に順次通すことによって、露呈した部分９と隠れた部分が交互にでき、それによるデザインや色の変化を楽しむことができる。
【００１７】
さらに、図３に示すネクタイ１は、図１のネクタイと図２のネクタイとを組み合わせたものであり、図３(ａ)に示すように、本体面２の広幅の片４の中央には長手方向に沿って複数の穴５が間隔をあけて設けられ、また本体面２の広幅の片４の両側に沿って複数の細穴７、７…が設けられている。このような構成において、図３(ｃ)又は図４に示すように、ネクタイ１の細幅の片３を広幅の片４の穴５から次の穴５へ順次通して、交互に外側へ露呈したり、また図３(ｂ)に示す紐部材８を両側の複数の細穴７に順次通すことによって、露呈した部分９と隠れた部分が交互にできて、それによるデザインや色の変化を楽しむことができる。
【実施例２】
【００１８】
図５又は図６に示すものは、マフラー１０についての実施例を示すものである。図５(ａ)に示すマフラー１０の外形は通常のマフラー１０と同様であり、長尺の長方形状を有するが、角を丸くしたり、全体を長い楕円形としたり、他の形状にしたりすることも可能である。この実施例においては、マフラー１０の本体面１１の長手方向に沿って、複数の穴５が間隔をあけて設けられている。この複数の穴５は、図６に示すように、使用者がマフラー１０を首に掛けたとき、マフラー１０の片側をいずれかの穴５に通すことによって、首から外れないようにすることができる。
【００１９】
また、図５(ｂ)に示すマフラー１０は、マフラー１０の本体面１１の両側に沿って複数の細穴７を設け、上記のような紐部材８をマフラー１０の両側の複数の細穴７に順次通すことによって、露呈した部分９と隠れた部分とを交互につくり、それによるデザインや色の変化を楽しむことができるようにしたものである。
【００２０】
さらに、図５(ｃ)に示すマフラー１０は、図５(ａ)と図５(ｂ)に示す構成を組み合わせたもので、マフラー１０の本体面１１の長手方向に沿って複数の穴５が間隔をあけて設けられると共に、マフラー１０の本体面の両側に沿って複数の細穴７が設けられ、紐部材８をマフラー１０の両側の複数の細穴７に順次通すことによって、露呈した部分９と隠れた部分とを交互につくり、それによるデザインや色の変化を楽しむことができるようにしたものである。また、図６に示すように、使用者がマフラー１０を首に掛けたとき、マフラー１０の片側をいずれのかの穴５に通すことによって、首から外れないようにすることも可能となる。
【産業上の利用可能性】
【００２１】
本考案の装着品は、ネクタイ、スカーフ、マフラー等のように首等の身体に着けて装うための装着品を構成する本体面に該装着品を挿通するための複数の穴を設けたり、該装着品を構成する本体面に紐部材を挿通するための複数の穴を設けたりすることによって、従来のネクタイ、スカーフ、マフラー等とは異なるデザインや色の変化を楽しむことができる装着品として利用可能である。
【図面の簡単な説明】
【００２２】
【図１】(ａ)は本考案をネクタイに適用した例を示す平面図であり、(ｂ)はネクタイに結び目をつくり、細幅の片を広幅の片の穴から次の穴へ順次通した状態を示す平面図である。
【図２】(ａ)は本考案をネクタイに適用した例を示す平面図であり、(ｂ)は紐部材を示す図であり、(ｂ)は紐部材をネクタイの広幅の片の両側の細穴に順次通した状態を示す平面図である。
【図３】(ａ)は本考案をネクタイに適用した例を示す平面図であり、(ｂ)は紐部材を示す図であり、(ｃ)はネクタイに結び目をつくり、細幅の片を広幅の片の穴から次の穴へ順次挿通すると共に、紐部材を広幅の両側の複数の細穴に順次通した状態を示す平面図である。
【図４】本考案によるネクタイを身に着けた状態を示す使用者の正面図である。
【図５】本考案をマフラーに適用した例を示す平面図であり、(ａ)はマフラーの本体面の中央の長手方向に沿って複数の穴が間隔をあけて設けられたものであり、(ｂ)はマフラーの本体面の両側に沿って複数の細穴が設けられたものであり、（c）は図(ａ)の形態と図(ｂ)の形態を組み合わせた状態を示す平面図である。
【図６】本考案によるマフラーを身に着けた状態を示す使用者の正面図である。
【図７】(ａ)及び(ｂ)は、特許文献１のネクタイを示す図である。
【符号の説明】
【００２３】
１  ネクタイ
２  本体面
３  細幅の片
４  広幅の片
５  穴
６  結び目
７  細穴
８  紐部材
９  露呈した部分
１０  マフラー
１１  本体面
【図１】
0003119452.tif 000003
【図２】
0003119452.tif 000004
【図３】
0003119452.tif 000005
【図４】
0003119452.tif 000006
【図５】
0003119452.tif 000007
【図６】
0003119452.tif 000008
【図７】
0003119452.tif 000009